(57)【要約】【課題】簡単な構造で幅の異なる複数種類の紙幣の安定した識別処理を行うことができる紙幣処理装置を提供する。【解決手段】幅の異なる複数種類の紙幣Ｐ、Ｑに対応した幅を有する複数の紙幣投入口２１、２２を紙幣処理装置６０に形成した。【選択図】　図１
2004013499.tif 000002
【特許請求の範囲】
【請求項１】
投入紙幣の真偽を判別する紙幣処理装置において、
幅の異なる複数種類の紙幣に対応した幅を有する複数の紙幣投入口を形成したことを特徴とする紙幣処理装置。
【請求項２】
前記複数の紙幣投入口を前記紙幣処理装置の装置本体に着脱自在に装着されるフロントマスクに形成したことを特徴とする請求項１に記載の紙幣処理装置。
【請求項３】
前記複数の紙幣投入口を前記紙幣処理装置の装置本体に形成したことを特徴とする請求項１に記載の紙幣処理装置。
【請求項４】
前記複数の紙幣投入口にはそれぞれ独立した紙幣通路が連通し、かつ独立した該各紙幣通路は、その下流で一本の紙幣通路に合流することを特徴とする請求項１乃至３に記載の紙幣処理装置。
【請求項５】
前記独立した各紙幣通路が合流する下流端には、返却される紙幣を、前記複数の紙幣投入口のうち最も幅の広い紙幣投入口へ導く紙幣振分レバーが配設されていることを特徴とする請求項４に記載の紙幣処理装置。
【請求項６】
前記複数の紙幣投入口の直後には、投入紙幣の有無を検出する紙幣検出センサーが配設されていることを特徴とする請求項１乃至４に記載の紙幣処理装置。
【発明の詳細な説明】
【０００１】
【発明の属する技術分野】
この発明は、自動販売機、両替機、パチンコ玉貸機、メタル貸機等に使用される紙幣処理装置に関する。
【０００２】
【従来の技術】
一般に紙幣（クーポン券等を含む）を取り扱う自動販売機等の機器本体内には、投入された紙幣の真偽を判別するとともに、真券と見なされた紙幣のみを蓄積収容するようにした紙幣処理装置が装着されている。
【０００３】
この紙幣処理装置は大別すると、装置本体の正面に配設され、紙幣投入口が一か所形成されたフロントマスクと、このフロントマスクの紙幣投入口から投入された紙幣を装置本体内へ案内する紙幣通路及び紙幣搬送手段と、案内搬送された紙幣の真偽を判別する紙幣識別手段と、真券とみなされた紙幣を順次積載収容するスタッカとから構成されている。
【０００４】
図１１は従来の紙幣処理装置１を示す要部破断概念側面図である。
【０００５】
この紙幣処理装置１は、矩形状の装置本体２から構成されており、その正面下方には一つの紙幣投入口３が形成されたフロントマスク４が着脱自在に装着されている。
【０００６】
なお、この紙幣投入口３が形成されたフロントマスク４は図示せぬ自動販売機等の機器の正面を構成する扉に形成されたフロントマスク取付孔からその先端、即ち紙幣投入口３が外部へ露出するように取り付けられる。
【０００７】
一方、このフロントマスク４に形成された紙幣投入口３の直後には、当該紙幣投入口３から紙幣が投入されたか否かを判断する紙幣検出センサー５が配設されている。
【０００８】
またこの紙幣投入口３に連通して装置本体２内にはＬ字形状の紙幣通路６が形成され、このＬ字形の紙幣通路６には、当該Ｌ字形の紙幣通路６に沿って投入紙幣を搬送する紙幣搬送ベルト７からなる紙幣搬送手段８が配設されている。なお、この紙幣搬送手段８の搬送ベルト７を回転駆動するベルト駆動手段は駆動モータ９等から構成されている。
【０００９】
一方、上述した紙幣通路６の下流には当該紙幣通路６を開閉するシャッター手段１０が配設され、またそのシャッター手段１０直後に位置する紙幣通路６の下流には、投入された紙幣の真偽を判別する磁気センサ、フォトセンサー等からなる紙幣識別手段１１が配設されている。
【００１０】
この磁気センサ、フォトセンサー等からなる紙幣識別手段１１は紙幣通路６の幅方向に沿って固定設置されており、そのため常に通過する紙幣のある特定位置のみの磁気的、光学的変化を検出し、それにより通過する紙幣の真偽を判別するようにしている。
【００１１】
このような紙幣処理装置１では、紙幣投入口３内に紙幣を投入すると、フロントマスク４内に配設された紙幣検出センサー５により投入紙幣の有無が検出され、その検出信号に基づき反時計方向へ正転する紙幣搬送ベルト７により、投入紙幣は紙幣通路６に沿って図面の右方向へ水平搬送される。
【００１２】
一方、投入紙幣が紙幣搬送ベルト７の正転（反時計方向への回転）により紙幣通路６に沿って下流へ搬送され、紙幣識別手段１１を通過すると、当該紙幣識別手段１１によりその投入紙幣の真偽が判定される。
【００１３】
そして、この紙幣識別手段１１により投入紙幣が偽券と判断されると、紙幣搬送ベルト９が反転（時計方向へ回転）して、当該投入紙幣を紙幣投入口３から返却する。
【００１４】
一方、投入紙幣が紙幣識別手段１１により真券と判断されると、その検出信号に基づき紙幣搬送ベルト７の正転が持続され、その後、装置本体２の背面に着脱自在に配設されたスタッカ１２側へ搬送され、そこで真券とみなされた投入紙幣は押圧板等からなる周知の紙幣収容手段を介し１枚ずつスタッカ１２内に積載収容される。
【００１５】
なお、この紙幣収容手段は駆動モータ１３等により駆動される。
【００１６】
【発明が解決しようとする課題】
ところで、上述した従来の紙幣処理装置１では、紙幣幅が相異なる２種類の紙幣の識別処理を行う場合もある。
【００１７】
その場合、紙幣投入口３の幅は、幅の異なる投入紙幣の挿入を許容させるため、紙幣幅の最も大きい紙幣（以下単に幅広紙幣と言う）に合わせて形成するが、幅の狭い紙幣を紙幣投入口３に投入する場合は、その紙幣を紙幣投入口３の一方の端部に沿わせて位置決め投入することが必要である。
【００１８】
なんとならば、前述したように、磁気センサ、フォトセンサー等からなる紙幣識別手段１１は紙幣通路６の幅方向に沿ったある特定位置に固定設置され、それより通過する紙幣の特定位置の磁気的、光学的変化を検出してその真偽を判別するようにしているから、幅の狭い紙幣（以下幅狭紙幣という）の真偽を判別する場合、常にその紙幣の特定位置が紙幣識別手段１１を通過することが必要で、そのためには利用者が幅狭紙幣を紙幣投入口３の基準位置、すなわち上述したように例えば紙幣投入口３の一方の端部に沿わせて位置決め投入することが必要である。
【００１９】
しかしながら、このような幅狭紙幣を投入する際の基準位置の指定は、その操作を全て利用者に委ねるため、その基準位置に幅狭紙幣を位置決めする際の誤りも多く、このため頻繁に幅狭紙幣の識別誤認を発生し、真券であるにもかかわらず幅狭紙幣の返却を繰り返す難点がある。
【００２０】
このような難点を解消するため、幅狭紙幣が投入された際には、紙幣通路の一端を幅方向へスライド移動させ、それにより幅狭紙幣の搬送中にその投入初期位置の補正を行い、これにより幅狭紙幣の特定位置が常に紙幣識別手段１１を通過させることも考えられるが、そうすると紙幣通路の一端をスライド移動させるための機構およびその駆動システムが複雑となり、コスト高や装置の大型化を招来する難点がある。
【００２１】
また紙幣通路の幅方向全面に渡ってイメージセンサ、ラインセンサ等の識別手段を配設することにより、投入基準位置の設定を不要にすることも考えられるが、その場合の識別システムも非常に複雑となりコスト高となる難点がある。
【００２２】
この発明は上述した事情に鑑み、簡単な構造で幅の異なる複数種類の紙幣の安定した識別処理を行うことができる紙幣処理装置を提供する。
【００２３】
【課題を解決するための手段】
上述した課題を解決するため、この発明では、投入紙幣の真偽を判別する紙幣処理装置において、幅の異なる複数種類の紙幣に対応した幅を有する複数の紙幣投入口を形成するようにしている。
【００２４】
【発明の実施の形態】
以下、この発明に係わる紙幣処理装置の一実施例を詳述する。
【００２５】
図１はこの発明に係わる紙幣処理装置のフロントマスク２０を示す拡大正面図である。
【００２６】
このフロントマスク２０では、その正面２０ａに紙幣を投入する紙幣投入口が、処理対象となる紙幣幅の異なる２種類の紙幣に対応して上下平行に２箇所形成されている。
【００２７】
このうち下方に形成された第１の紙幣投入口２１は幅広紙幣専用の紙幣投入口であり、その幅は取り扱う幅広紙幣の幅よりも若干大きく形成されている。
【００２８】
また上述した第１の紙幣投入口２１と平行に上方に形成された第２の紙幣投入口２２は幅狭紙幣専用の紙幣投入口で、その幅は取り扱う幅狭紙幣の幅よりも若干大きく形成されている。
【００２９】
一方、図１のＡＡ断面で示す図２のように、幅広紙幣を取り扱う第１の紙幣投入口２１直後には紙幣通路２１ａが連通し、また幅狭紙幣を取り扱う第２の紙幣投入口２２直後には紙幣通路２２ａが連通している。
【００３０】
そして、これら幅広紙幣が通過する紙幣通路２１ａと幅狭紙幣が通過する紙幣通路２２ａはフロントマスク２０内の下流でそれぞれ合流し、従来の一本の紙幣通路６に連通している。
【００３１】
なお、上述した紙幣通路２１ａ、２２ａの幅はそれぞれの紙幣に対応した幅となっており、また紙幣通路２１ａと紙幣通路６の幅は同一サイズに設定されている。
【００３２】
一方、上述した紙幣通路２１ａと紙幣通路２２ａとの合流地点２３には、紙幣振分レバー２４が軸２５を中心に回動自在に支承され、さらにこの紙幣振分レバー２４は軸２５に巻回されたコイルバネ２６の作用により紙幣通路６側からみて常時紙幣通路２２ａの下流端を閉塞している。
【００３３】
従って、この紙幣振分レバー２４によると、第２の紙幣投入口２２内に幅狭紙幣が投入されると、その紙幣はその投入力により紙幣振分レバー２４を軸２５を中心に時計方向へ回転させ、これにより紙幣通路２２ａの終端を解放するので、その後、幅狭紙幣は一本の紙幣通路６内に投入されて装置本体内に搬送されることとなる。
【００３４】
一方、幅狭紙幣が紙幣通路６内から返却されると、その紙幣は紙幣振分レバー２４により幅の広い紙幣通路２１ａ側に案内され、その後、第１の紙幣投入口２１から返却される。また、幅広紙幣が紙幣通路６内から返却され場合も、その幅広紙幣は紙幣振分レバー２４により紙幣通路２１ａに案内され、第１の紙幣投入口２１から返却される。
【００３５】
すなわち、上述した紙幣振分レバー２４によると、幅狭紙幣と幅広紙幣の双方とも、返却の際は紙幣通路２１ａに案内され、第１の紙幣投入口２１から返却されることとなる。従って、幅広紙幣が誤って紙幣通路２２ａ内へ返却され、それにより幅狭紙幣が投入される第２の紙幣投入口２２で幅広紙幣が詰まることもない。
【００３６】
一方、図２のＢＢ断面で示す図３のように、第１の紙幣投入口２１と第２の紙幣投入口２２のそれぞれ直後には投入紙幣を検出する紙幣検出センサー３０、４０が配設されている。
【００３７】
このうち、幅広紙幣が投入される第１の紙幣投入口２１の直後に配設された紙幣検出センサー３０は、その幅方向両端部にそれぞれ配設され、独立して回転する一対のレバー３１、３２と、このレバー３１、３２の回転を検知する一対のホトインタラプタスイッチ３３、３４とから構成されている。
【００３８】
また幅狭の紙幣が投入される第２の紙幣投入口２２の直後に配設された紙幣検出センサー４０は、その幅方向両端部にそれぞれ配設され、一体的に回転する一対のレバー４１、４２と、このレバー４１、４２の回転を検知する一つのホトインタラプタスイッチ４３とから構成されている。
【００３９】
なお、上述したホトインタラプタスイッチ３３、３４、４３を搭載した基板５０は、紙幣通路２１ａ、２２ａ（図２）の上方に位置するフロントマスク２０内に配設され、第１の紙幣投入口２１あるいは第２の紙幣投入口２２内から悪戯により液物が投入された場合の被害を最小限とするようにしている。
【００４０】
このように、幅広紙幣が投入される第１の紙幣投入口２１の直後に配設された一対のレバー３１、３２と、このレバー３１、３２の回転を検知する一対のホトインタラプタスイッチ３３、３４とから構成された紙幣検出センサー３０によると、幅広紙幣が第１の紙幣投入口２１内に投入された場合は、一対のレバー３１、３２が同時に回転するので、一対のホトインタラプタスイッチ３３、３４の双方がオンし、そのため図示せぬ制御装置は紙幣搬送手段を駆動し、その幅広紙幣を装置本体内に搬送することとなる。
【００４１】
一方、第１の紙幣投入口２１内に幅狭紙幣が投入された場合は、一対のレバー３１、３２のうち、その一方のみしか回転せず、そのため一対のホトインタラプタスイッチ３３、３４のうちのいずれか一方のみしかオンしないので、図示せぬ制御装置は紙幣搬送手段を駆動せず、このため幅狭紙幣が第１の紙幣投入口２１内に誤って投入されても、その幅狭紙幣は装置本体内に搬送されることはなく、このため第１の紙幣投入口２１内からの幅狭紙幣の投入が防止される。
【００４２】
また幅狭紙幣が投入される第２の紙幣投入口２２の幅は、そもそも取り扱う幅広紙幣の幅よりも狭く形成されているから、当該第２の紙幣投入口２２内に幅広紙幣が投入されることはない。
【００４３】
一方、幅狭の紙幣が投入される第２の紙幣投入口２２の直後には一体的に回転する一対のレバー４１、４２と、このレバー４１、４２の回転を検知する一つのホトインタラプタスイッチ４３からなる紙幣検出センサー４０が配設されているから、幅狭紙幣が第２の紙幣投入口２２内に投入された場合は、一対のレバー４１、４２が同時に回転して一つのホトインタラプタスイッチ４３がオンするので、その検出信号を受けて図示せぬ制御装置は紙幣搬送手段を駆動し、その幅狭紙幣を装置本体内に搬送することとなる。
【００４４】
なお、上述した第１と第２の紙幣投入口２１、２２を形成したフロントマスク２０は、図１１に示す従来のフロントマスク４と同一サイズでしかも、装置本体２に対する取り付け位置等も同一位置に形成されているので、図４に示すように、に、従来のフロントマスク４に変えて、第１と第２の紙幣投入口２１、２２を形成したフロントマスク２０を装置本体２に簡単に付け替えて、本願発明に関わる紙幣処理装置６０とすることができる。
【００４５】
なお、図４で図１１と同一部分を同一符号で示す。
【００４６】
次に、上述したフロントマスク２０を装着した本願発明に関わる紙幣処理装置６０の作用を、まず幅狭紙幣を使用する場合について説明する。
【００４７】
図１に示す第１の紙幣投入口２１内に幅狭紙幣Ｓを投入すると、当該幅狭紙幣Ｓの幅Ｌは、第１の紙幣投入口２１内に配設された紙幣検出センサー３０を構成する一対のレバー３１、３２間の幅Ｍよりも狭い（Ｓ＜Ｍ）ので、幅狭紙幣Ｓにより一対のレバー３１、３２を同時に回転させることはできず、従って、幅狭紙幣Ｓを第１の紙幣投入口２１内に投入しても紙幣搬送手段は駆動されないので、第１の紙幣投入口２１内への幅狭紙幣Ｓの投入が阻止されることとなる。
【００４８】
一方、この幅狭紙幣Ｓを第２の紙幣投入口２２内に投入すると、当該幅狭紙幣Ｓの幅Ｌは、第２の紙幣投入口２２内に配設された紙幣検出センサー４０を構成する一対のレバー４１、４２間の幅Ｎよりも大きい（Ｓ＞Ｎ）ので、図５で示すように、幅狭紙幣Ｓは一対のレバー４１、４２を同時に回転させ、これにより紙幣搬送手段８を駆動する。
【００４９】
一方、図５で示すように、幅狭紙幣Ｓが第２の紙幣投入口２２内に投入され、その投入力により紙幣振分レバー２４が軸２５を中心に時計方向へ回転し、紙幣通路２２ａの終端を解放すると、幅狭紙幣Ｓの先端は一本の紙幣通路６の始端に到達し、そこから回転する紙幣搬送ベルト７により紙幣通路６の下流へ搬送される。
【００５０】
なお、紙幣通路２２ａは幅狭紙幣Ｓの幅に合わせて形成されているので、幅狭紙幣Ｓは紙幣通路２２ａを通過する際に、その傾きが補正された状態で紙幣通路６内に案内されるので、幅狭紙幣Ｓが紙幣識別手段１１を通過する際には、幅狭紙幣Ｓは偏位することなく、その特定位置が常に紙幣識別手段１１を通過するので、その安定した識別処理が行えることとなる。
【００５１】
なお、幅狭紙幣Ｓが紙幣通路２２ａ及び紙幣通路６を搬送される際に、幅狭紙幣Ｓは図１に示す第２の紙幣投入口２２により、予めその投入初期位置が規定されているので、各利用者によって、その投入初期位置がずれることはなく、従って、図６で示すように、幅狭紙幣Ｓが紙幣識別手段１１を通過する際は、その幅狭紙幣Ｓの常に特定位置が紙幣識別手段１１を通過するので、幅狭紙幣Ｓの安定した識別処理がおこなえることとなる。
【００５２】
なお、上述した紙幣識別手段１１により幅狭紙幣Ｓが真券と判断されると、当該幅狭紙幣Ｓは、紙幣通路６のさらに下流へ搬送され、その後、スタッカ１２内に蓄積収容されることとなる。
【００５３】
一方、紙幣識別手段１１により幅狭紙幣Ｓが偽券と判断されると、図７で示すように紙幣搬送手段８の紙幣搬送ベルト７が反転し、幅狭紙幣Ｓを紙幣投入口側へ返却しようとするが、その際、常時紙幣通路２２ａの下流端を閉塞する紙幣振分レバー２４により紙幣通路２１ａ側へ案内され、このため幅狭紙幣Ｓであっても第１の紙幣投入口２１から返却されることとなる。
【００５４】
次に幅広紙幣を使用する場合について説明する。
【００５５】
利用者が、図１に示す第２の紙幣投入口２２内に幅広紙幣Ｐを投入すると、当該幅広紙幣Ｐの幅Ｑは第２の紙幣投入口２２の幅Ｒよりも当然広い（Ｑ＞Ｒ）ので、第２の紙幣投入口２２内に幅広紙幣Ｐを投入することはできず、このため利用者は第１の紙幣投入口２１内に幅広紙幣Ｑを投入することとなる。
【００５６】
一方、この幅広紙幣Ｑを第１の紙幣投入口２１内に投入すると、当該幅広紙幣Ｐの幅Ｑは、第１の紙幣投入口２１内に配設された紙幣検出センサー３０を構成する一対のレバー３１、３２間の幅Ｍよりも大きい（Ｑ＞Ｍ）ので、図８で示すように、幅広紙幣Ｐは一対のレバー３１、３２を同時に回転させ、これにより紙幣搬送手段８を駆動する。
【００５７】
一方、図８で示すように、幅広紙幣Ｐが第１の紙幣投入口２１内に投入されると、その先端が紙幣通路２１ａの終端から一本の紙幣通路６の始端に到達し、そこから回転する紙幣搬送ベルト７により紙幣通路６の下流へ搬送される。
【００５８】
なお、紙幣通路２１ａ及び紙幣通路６は最初から幅広紙幣Ｐの幅に合わせて形成されているので、その間で幅広紙幣Ｐが偏位することはなく、そのため図９で示すように、幅広紙幣Ｐが紙幣識別手段１１を通過する際は、その幅広紙幣Ｐの常に特定位置が紙幣識別手段１１を通過するので、幅広紙幣Ｐの安定した識別処理がおこなえることとなる。
【００５９】
なお、上述した紙幣識別手段１１により幅広紙幣Ｐが真券と判断されると、当該幅広紙幣Ｐは、紙幣通路６のさらに下流へ搬送され、その後、スタッカ１２内に蓄積収容されることとなる。
【００６０】
一方、紙幣識別手段１１により幅広紙幣Ｐが偽券と判断されると、図１０で示すように紙幣搬送手段８の紙幣搬送ベルト７が反転し、幅広紙幣Ｐを紙幣投入口側へ返却しようとするが、その際、常時紙幣通路２２ａの下流端を閉塞する紙幣振分レバー２４により紙幣通路２１ａ側へ案内され第１の紙幣投入口２１から返却されることとなる。
【００６１】
なお、上記実施例では、紙幣幅の異なる紙幣として幅広紙幣Ｐと幅狭紙幣Ｓの二種類の紙幣を取り扱う場合に、フロントマスク４０にそれぞれ上述した幅広紙幣Ｐと幅狭紙幣Ｓの各幅に対応したに二つの紙幣投入口２１、２２を形成する場合について詳述したが、この発明は上述した実施例に限定されることなく、幅の異なる３種類以上の紙幣を取り扱う紙幣処理装置に適用しても良く、その場合は取り扱うことのできる幅の異なる複数種類の紙幣の数に対応した数の紙幣投入口をフロントマスクに形成すれば良く、また紙幣を返却する場合は、全ての紙幣を複数の紙幣投入口のうち最も幅の広い紙幣投入口へ導く紙幣振分レバーを各複数の紙幣投入口に連通し、独立して形成された紙幣通路の下流端に配設すれば良い。　なお上記実施例では前記複数の紙幣投入口２１、２２を紙幣処理装置６０の装置本体２に着脱自在に装着されるフロントマスク２０に形成したが、この発明は上記実施例に限定されることなく、複数の紙幣投入口２１、２２を紙幣処理装置６０の装置本体２に形成してもよい。
【００６２】
【発明の効果】
以上説明したように、この発明の紙幣処理装置では、幅の異なる紙幣に対応した幅を有する複数の紙幣投入口を形成するようにしたから、利用者が幅の異なる各紙幣を投入する場合に、予めその投入初期位置が対応する紙幣投入口の幅により規定されているので、各利用者によって、紙幣投入口内に紙幣を投入する際に、その投入初期位置がずれることはなく、従って、各紙幣が紙幣識別手段を通過する際は、その紙幣の特定位置が常に紙幣識別手段を通過するので、幅の異なる各紙幣の安定した識別処理がおこなえることとなる。
【００６３】
また、フロントマスクに幅の異なる紙幣に対応した幅を有する複数の紙幣投入口を形成する場合は、その構造が簡単であり安価に提供することもできる。
【図面の簡単な説明】
【図１】図１はこの発明に係わる紙幣処理装置のフロントマスクの正面図。
【図２】図２は図１のＡＡ断面図。
【図３】図３は図２のＢＢ断面図。
【図４】図４はこの発明に係わる紙幣処理装置の要部破断面図。
【図５】図５は発明に係わる紙幣処理装置の作用を示す要部破断面図。
【図６】図６は発明に係わる紙幣処理装置の作用を示す要部破断面図。
【図７】図７は発明に係わる紙幣処理装置の作用を示す要部破断面図。
【図８】図８は発明に係わる紙幣処理装置の作用を示す要部破断面図。
【図９】図９は発明に係わる紙幣処理装置の作用を示す要部破断面図。
【図１０】図１０は発明に係わる紙幣処理装置の作用を示す要部破断面図。
【図１１】図１１は従来の紙幣処理装置を示す要部破断面図。
【符号の説明】
２…装置本体
６…一本の紙幣通路
２０…フロントマスク
２１、２１…紙幣投入口
２１ａ、２２ａ…独立した紙幣通路
２４…紙幣振分レバー
３０、４０…紙幣検出センサー
６０…紙幣処理装置
【図１】
2004013499.tif 000003
【図２】
2004013499.tif 000004
【図３】
2004013499.tif 000005
【図４】
2004013499.tif 000006
【図５】
2004013499.tif 000007
【図６】
2004013499.tif 000008
【図７】
2004013499.tif 000009
【図８】
2004013499.tif 000010
【図９】
2004013499.tif 000011
【図１０】
2004013499.tif 000012
【図１１】
2004013499.tif 000013
【手続補正書】
【提出日】平成14年6月12日(2002.6.12)
【手続補正１】
【補正対象書類名】図面
【補正対象項目名】全図
【補正方法】変更
【補正の内容】
【図１】
2004013499.tif 000014
【図２】
2004013499.tif 000015
【図３】
2004013499.tif 000016
【図４】
2004013499.tif 000017
【図５】
2004013499.tif 000018
【図６】
2004013499.tif 000019
【図７】
2004013499.tif 000020
【図８】
2004013499.tif 000021
【図９】
2004013499.tif 000022
【図１０】
2004013499.tif 000023
【図１１】
2004013499.tif 000024